(57)【要約】  差し込み方向（６）に差し合わされる電気プラグ接続部（１０）用の電気コンタクト（１）は、差し込み方向（６）に対して開口している、相補的コンタクトピン（８）用のレセプタクル（４）を備える。レセプタクル（４）は相補的コンタクトピン（８）に接触する接触表面（６１）を備える。大きい接触力の下で容易に差し合わせ可能で長い寿命を有する差し込み接続部を創出するために、レセプタクル（４）の２つの対向する面（１９ａ、１９ｂ）上にそれぞれ回転可能に保持されている、レセプタクル（４）内に突出し接触表面（６１）の一部を形成している、導電性材料製のローラコンタクト体（２０）が提供される。中でコンタクト（１）がピン形状のコンタクト（８）と差し合わされる電気プラグ接続部（１０）において、コンタクト（１、８）の接触表面（６１）は、回転可能な導電性材料のローラコンタクト体（２０）を備える。【選択図】図１
2019530152.tif 000002
【特許請求の範囲】
【請求項１】
差し込み方向（６）で相補的コンタクトピン（８）用のレセプタクル（４）と差し合わされる電気プラグ接続部（１０）用の電気コンタクト（１）であって、
前記レセプタクル（４）は、前記差し込み方向（６）に反対向きに開口しており、前記相補的コンタクトピン（８）に接触するための接触表面（６１）を備え、
前記レセプタクル（４）内に突出し前記接触表面（６１）の一部を形成している、導電性材料製の少なくとも１つのローラコンタクト体（２０）が、それぞれ前記レセプタクル（４）の少なくとも２つの対向する面（１９ａ、１９ｂ）上に回転可能に保持されていることを特徴とする、電気コンタクト（１）。
【請求項２】
前記ローラコンタクト体（２０）は前記差し込み方向（６）に沿って移動可能なスライド（１４）に取り付けられていることを特徴とする、請求項１に記載の電気コンタクト（１）。
【請求項３】
前記スライド（１４）の少なくとも一部分はハウジング（２）内に位置し、前記スライド（１４）の移動の少なくとも一部の間、前記ハウジング（２）上で前記ローラコンタクト体（２０）が転動することを特徴とする、請求項１または２に記載の電気コンタクト（１）。
【請求項４】
前記スライド（１４）は前記相補的コンタクトピン（８）用の少なくとも１つのドライバ（６６）を備え、前記ドライバ（６６）は前記レセプタクル（４）内へ突出していることを特徴とする、請求項１から３のいずれか一項に記載の電気コンタクト（１）。
【請求項５】
前記スライド（１４）の少なくとも１つの位置（７０）では、前記ドライバ（６６）は前記レセプタクル（４）の外で移動することを特徴とする、請求項４に記載の電気コンタクト（１）。
【請求項６】
対向する前記ローラコンタクト体（２０）は、前記スライド（１４）の初期位置（１６）での方が、前記スライド（１４）が前記初期位置（１６）から移動した位置（７０）におけるよりも互いに離れていることを特徴とする、請求項２から５のいずれか一項に記載の電気コンタクト（１）。
【請求項７】
前記ローラコンタクト体（２０）は、前記レセプタクル（４）を取り囲むハウジング（２）内に、回転可能であるが移動しないように配置されていることを特徴とする、請求項１に記載の電気コンタクト（１）。
【請求項８】
前記少なくとも１つのローラコンタクト体（２０）に対して作用する少なくとも１つの押圧ばね（５８）を備えていることを特徴とする、請求項１から７のいずれか一項に記載の電気コンタクト（１）。
【請求項９】
前記押圧ばね（５８）および／または前記ハウジング（２）は、導体（８５）または外側ハウジング（６３）を取り付けるための固定部分（８４）に、材料結合で接続されていることを特徴とする、請求項７または８に記載の電気コンタクト（１）。
【請求項１０】
前記ローラコンタクト体（２０）は、前記ハウジング（２）と前記押圧ばね（５８）との間に、前記差し込み方向（６）に対して横断方向に前記押圧ばね（５８）の作用に抗して偏向可能に保持されていることを特徴とする、請求項７から９のいずれか一項に記載の電気コンタクト（１）。
【請求項１１】
前記ハウジング（２）は、前記ローラコンタクト体（２０）を保持する、内側にある内側部（７８）と、外側にある外側部（８０）と、を備え、前記内側部（７８）および前記外側部（８０）は、少なくとも１つの曲げられたおよび／または折り曲げた接続部分（８２）によって材料結合で互いに接続されていること、ならびに、
前記少なくとも１つの押圧ばね（５８）は、前記内側部（７８）と前記外側部（８０）との間に位置すること、を特徴とする、請求項７から１０のいずれか一項に記載の電気コンタクト（１）。
【請求項１２】
前記外側部（８０）の表面におよび／または前記押圧ばね（５８）の表面に、前記ローラコンタクト体（２０）が通されて嵌合する少なくとも１つの挿入開口部（９０）があることを特徴とする、請求項１１に記載の電気コンタクト（１）。
【請求項１３】
スリーブ形状の第１のコンタクト（１）と前記第１のコンタクトと相補の関係にあるピン形状の第２のコンタクト（８）とを有する電気プラグ接続部（１０）であって、
前記第１のコンタクト及び前記第２のコンタクト（１、８）は、差し込み方向（６）に差し合わせることができるように設計されており、かつ、接触表面（６１、６２）を備え、前記接触表面（６１）のうちの１つは、導電性材料製の回転可能なローラコンタクト体（２０）によって形成されていることを特徴とする、電気プラグ接続部（１０）。
【請求項１４】
前記ローラコンタクト体（２０）は、前記差し込み方向（６）に沿って移動可能でありかつ前記第２のコンタクト（８）が挿入されている、スライド（１４）上に保持されていることを特徴とする、請求項１３に記載の電気プラグ接続部（１０）。
【請求項１５】
前記スライド（１４）の第１の位置（６９）では、前記ローラコンタクト体（２０）は前記第２のコンタクト（８）および／または前記スライド（１４）を取り囲んでいるハウジング（２）から離間されてあり、前記第１の位置（６９）から前記差し込み方向（６）に離間された前記スライド（１４）の第２の位置（７０）では、前記ローラコンタクト体（２０）は、前記第２のコンタクト（８）および前記ハウジング（２）を転動可能に接していることを特徴とする、請求項１４に記載の電気プラグ接続部（１０）。
【発明の詳細な説明】
【技術分野】
【０００１】
本発明は、差し込み方向で相補的コンタクトピン用のレセプタクルと差し合わされる電気プラグ接続部用の電気コンタクトであって、当該レセプタクルは、差し込み方向に反対向きに開口しており、相補的コンタクトピンに接触するための接触表面を備える、電気コンタクトに関する。本発明はまた、第１のスリーブ形状のコンタクトと第１のコンタクトと相補の関係にある第２のピン形状のコンタクトとを有する電気プラグ接続部であって、これらのコンタクトはいずれも差し込み方向に差し合わせることができかつ接触表面を備える、電気プラグ接続部にも関する。
【背景技術】
【０００２】
例えば、ピン形状またはタブ形状のコンタクトピンが挿入されるコンタクトスリーブの形態のコンタクトが知られている。
【発明の概要】
【発明が解決しようとする課題】
【０００３】
そのようなコンタクトの場合、１つの目的は、安定した接触抵抗を実現することである。このためには、生じ得る腐食層または異物の層を突破してコンタクトの導電性材料間の直接接触を確立するために、接触表面間の大きい押圧圧力が必要とされる。しかしながら、そのような押圧圧力は大きい差し込み力を必要とし、このため、そのようなコンタクトは、大きい力を費やして差し合わせることしかできない。接触表面を介して高い電流が伝送されることになる場合、これらの接触表面は、接触抵抗を下げるために、可能な限り大きい表面積で重なり合うべきである。しかしながら、接触表面が大きい表面積で重なり合うと、差し合わせ中の摩擦抵抗が大きくなり、この結果、やはり同様により高い接触力が必要となる。
【０００４】
これらの競合する要件を考慮して、本発明は、安定した小さい接触抵抗を可能にし、同時に差し込み力が小さくかつ長い寿命を有する、電気コンタクトを創出する、という目的に基づいている。
【課題を解決するための手段】
【０００５】
この目的は、冒頭で述べた電気コンタクトに関する本発明に従って、レセプタクル内に突出し接触表面の一部を形成し、それぞれレセプタクルの少なくとも２つの対向する面上に回転可能に保持されている、導電性材料製の少なくとも１つのローラコンタクト体によって、達成される。
【０００６】
冒頭で述べた電気プラグ接続部の場合、本発明によれば、回転可能なローラコンタクト体の接触表面のうちの１つが、導電性材料から形成されている。
【０００７】
ローラコンタクト体は一方では、小さい接触力であっても押圧圧力が腐食層および異物の層を突破するのに十分な程度に大きくなるように、小さい支承表面を提供する。他方では、ローラコンタクト体は、必要な差し込み力がより小さくなるように、転動することができる。同時に、転動の結果、相補的コンタクトピンの接触表面からの材料の脱離が少なくなり、このため、非常に多数回の差し込みサイクル後であっても、電気コンタクト自体の損耗が非常に少ない。
【０００８】
本発明は、それ自体各々有利であり任意の所望の方法で互いに組み合わせ可能な以下の設計によって、さらに改善することができる。
【０００９】
例えば、ローラコンタクト体は好ましくは、相補的コンタクトピンの接触表面から流れていく電流を可能な限り少ない損失で引き渡すために、少なくとも３０Ｓ／ｍの導電率を有する導電性材料から製造される。導電性材料は例えば、金属の金、銀、アルミニウム、および銅のうちの少なくとも１つを含んでもよい。
【００１０】
相補的コンタクトピンは、タブ形状またはピン形状のコンタクトであってもよい。タブ形状またはブレード形状のコンタクトの場合、ローラコンタクト体が載置される面は、好ましくはレセプタクルの平らな面である。
【００１１】
ローラコンタクト体は、球体、円錐、切頭円錐、樽体、針、および／または円筒であってもよい。接触表面は好ましくは、差し込み力および損耗の量を可能な限り小さく抑えるために、ローラコンタクト体のみによって形成される。
【００１２】
ローラコンタクト体は、差し込み方向に対して横断方向に配向された少なくとも１つの回転軸周りで、回転可能であってもよい。これらの転動する表面はそのような場合、挿入中に差し込み方向に沿って転動できるように、回転移動の結果、接触表面の領域内で少なくとも差し込み方向に沿って移動できるようになっていてもよい。接触表面の領域内での、対応する異なる向きの回転軸による、転動する表面の更なる移動の方向は、例えば振動負荷を受ける環境において、２つのコンタクトの間での均衡を保つ移動を可能にし得る。この場合、例えば、コンタクト間の、差し込み方向に対して横断方向への相対移動を可能にするために、回転軸を差し込み方向に沿って整列させてもよい。このことは、例えば振動負荷を受ける環境において有利である。ローラコンタクト体は、同時にいくつかの回転軸周りで回転できるように装着されてもよい。
この場合、球体のローラコンタクト体が、各方向に回転できるように保持され得る。
【００１３】
更なる有利な設計によれば、ローラコンタクト体を、差し込み方向に沿って移動可能な少なくとも１つのスライドに取り付けてもよい。スライドは、ローラコンタクト体を保持するローラ支承ケージを形成してもよい。そのようなスライドによりコンタクトの組み立てがさらに容易になるが、その理由は、このスライド上にローラコンタクト体を事前に組み付けることができるからである。
【００１４】
スライドは、２つの端部位置の間で、特に挿入されたコンタクトピンと一緒に、差し込み方向に沿って変位可能であってもよい。この場合、スライドの速さは、コンタクトピンの差し込み速さと異なっていてもよい。
【００１５】
スライドは、コンタクトのレセプタクルを形成してもよく、この目的のためにスリーブ形状または箱形状の部分を有してもよい。レセプタクルは、差し込み方向に貫通して開口していてもよい。
【００１６】
差し込み方向に対して横断方向におけるレセプタクルの内側断面の形態は、使用されることになる差し込みコンタクトの形態によって異なる。内側断面は丸形、特に円形であってもよく、または多角形、特に矩形であってもよい。
【００１７】
差し合わされた状態では、コンタクトピンは、スライド上に、特にローラコンタクト体上に、少なくとも部分的に支持されてもよい。さらに、スライドはまた、支承サポートも形成してよい。
【００１８】
差し合わされた状態では、コンタクトピンは、差し込み方向に沿った両側で、スライドの外に突出していてもよい。
【００１９】
ローラコンタクト体が、差し込み方向に反対向きである半分にだけ、特に差し込み方向に反対向きであるスライドのレセプタクルの挿入開口部に配置されていれば、差し込み動作をさらに容易にすることができる。ローラコンタクト体は特に、レセプタクルの挿入開口部にあるスライドの端部に配置されてもよい。
【００２０】
製造コストを低く抑え、かつ規定された電流経路をローラコンタクト体を介して提供するために、スライドは好ましくは、プラスチックなどの非導電性材料から、特に射出成形によって製造される。
【００２１】
ハウジングは、ローラコンタクト体用の少なくとも１つの押圧ばねを形成してもよく、かつ／または、ハウジングとローラコンタクト体との間に押圧ばねがある。押圧ばねはローラコンタクト体に接しており、差し込み方向に対して横断方向に弾性であるものとして、レセプタクルから離れる方向およびこれに向かう方向に設計されている。コンタクトピンが完全に挿入されている状態では、少なくとも１つの押圧ばねは弾性的に偏向して、接触力を生み出している。
【００２２】
ローラコンタクト体は隙間内に収容されてもよく、そこでローラコンタクト体は例えば嵌め合いで保持される。この目的のために、ローラコンタクト体は、これらにそれぞれ割り当てられた隙間に、単純に押し込まれてもよい。隙間は、ハウジングに、または、スライドがあるのであればそのようなスライドに、設けてもよい。
【００２３】
スライドの少なくとも一部分は、ハウジング内に収容されてもよい。ハウジングは、保護材としての、および特にスライド用のガイドとしての、役割を果たす。ハウジングは、特に差し込み方向に沿って延在する、ローラコンタクト体用の溝形状の軌道を備えてもよい。軌道は、この軌道内を進むローラコンタクト体用の押圧ばねを形成するために、差し込み方向に対して横断方向において弾性あるものとして、レセプタクルから離れる方向およびこれに向かう方向に設計されていてもよい。更なる設計によれば、ハウジングは、ローラコンタクト体のない知られているコンタクトスリーブの場合のように、電流を流し去るための役割を果たす。この目的のために、ハウジングは、好ましくは導電性材料から、特に上述したような導電性材料から製造される。
【００２４】
スライドは、レセプタクル内に突出している、コンタクトピン用の少なくとも１つのドライバを備えてもよい。そのようなドライバを、レセプタクルに挿入されるコンタクトピンによる挿入の移動の過程においてスライドを移動させる目的で使用してもよい。このことは特に、ローラコンタクト体がコンタクトピンだけに接し反対側の表面に当接することがない、すなわちコンタクトピンの表面上でのみ転動するときはいつでも、重要である。ドライバを、レセプタクルのローラコンタクト体が接している面上に位置付けてもよい。これらは例えば、コンタクトの平坦な面である。当然ながら、ドライバは狭い面上にも配置されてよく、または狭い面上にのみ配置されてもよい。
【００２５】
更なる有利な設計では、スライドの少なくとも１つの解放位置で、ドライバはレセプタクルから外に出ていてもよい。ドライバがレセプタクルの外に出ている場合、レセプタクルは空いている状態である。このことにより、コンタクトピンをスライドに挿通することが可能になる。
【００２６】
ドライバは特に、スライドの移動のうち、差し込み方向に位置するスライドの移動の端部位置まで、または、コンタクトの挿入開口部から遠隔にある端部位置まで及ぶ部分にわたって、レセプタクルの外に出ていてもよい。レセプタクルの外に出るために、ドライバは少なくとも１つの解放位置で、ハウジングの凹部に入ることができる。このことは、例えば、ドライバを弾性の舌片上に配置することによって達成される。この舌片は、少なくとも１つの解放位置の外で予張され、少なくとも１つの解放位置でばね力によって凹部に入る。少なくとも１つの解放位置の外の、少なくとも１つの駆動位置では、ドライバまたはこれを担う舌片は、ばね予張力の下でハウジングに接していてもよい。
【００２７】
更なる有利な設計によれば、少なくとも１つの解放位置では、ローラコンタクト体は、コンタクトピンおよびコンタクトのハウジングの両方に接していてもよい。他方で、スライドの少なくとも１つの解放位置の外の、スライドの駆動位置では、ローラコンタクト体はコンタクトピンだけ、またはハウジングだけに接していてもよい。直前の設計の場合には、駆動位置では、コンタクトピンによってドライバを利用してスライドが移動されるとき、ローラコンタクト体はいかなる転動も起こさないことが保証される。他方で、最初の設計の場合、少なくとも１つの駆動位置の外では、ローラコンタクト体はコンタクトピン上およびハウジング上の両方で転動し、この結果、スライドはローラ支承ケージのように移動する。
スライドはこの場合コンタクトピンよりもゆっくりと移動するので、ローラコンタクト体の転動が決定付けるスライドの移動を妨げないように、ドライバは好ましくはレセプタクルの外に出る。
【００２８】
別の設計では、ドライバはラッチング要素であってもよく、例えば、ラッチング突起またはラッチング凹部を備えてもよい。コンタクトのラッチング要素は、コンタクトピンの相補的ラッチング要素と一緒に機能する。ラッチング動作はこの場合、好ましくは、ローラコンタクト体がハウジング上およびコンタクトピン上の両方で転動するときにスライドおよびコンタクトピンの移動の速さが異なっている結果、自動的に行われる。コンタクトピンの速さの方が速い結果、その相補的ラッチング要素は、スライド上のラッチング要素を追い抜き、自動的にラッチングされる。
【００２９】
ローラコンタクト体は、レセプタクルの挿入開口部の方向に位置するスライドの移動の端部位置にスライドが位置するスライドの初期位置での方が、スライドが初期位置から外れてレセプタクルの方向へ移動しているスライドの位置におけるよりも、差し込み方向に対して横断方向に対向する面上で互いに離れているようになっていてもよい。この設計の場合、差し込み動作の開始時には転動がまだ行われていないことが保証される。特に、ローラコンタクト体はこの場合、コンタクトピンがまだコンタクトに完全に挿入されていない、スライドの初期位置では、コンタクトピンから離間されて維持されてもよい。
【００３０】
そのような離間は、例えばスライドが、差し込み方向に対して横断方向に弾性的に偏向可能でありかつ中にローラコンタクト体が位置する、アーム形状または舌片形状の領域を備える場合に、達成され得る。これらの領域は、これらが挿入開口部内で互いにばね力によって引き離されるように、または互いにばね力によって既に引き離されているように、特に設計されてもよい。
【００３１】
更なる有利な設計では、レセプタクルは、差し込み方向に反対向きに挿入開口部に向かって広くなって、少なくとも１つの拡開した導入部（ｒｕｎ−ｉｎ）を形成していてもよい。特に、ハウジングは、差し込み方向に反対向きに広くなっていてもよい。
【００３２】
ローラコンタクト体は、例えばこれらを保持するアーム形状または舌片形状の領域の形状形成の結果として、スライドによって、拡開した導入部に接して移動、特に押圧されてもよい。この結果、ローラコンタクト体は、拡開した導入部の領域内でコンタクトピンから引き離されている。
【００３３】
スライドの移動開始時に、スライドがレセプタクルの挿入開口部に位置するその端部位置から外に移動するとき、ローラコンタクト体は、拡開した導入部のみに接して転動し得る。拡開した導入部の領域内に、ローラコンタクト体用の溝形状の軌道が設けられてもよい。ローラコンタクト体が拡開した導入部のみに接して転動する領域は、スライドの駆動位置の、ドライバがレセプタクル内に延びる領域と、一致してもよい。
【００３４】
スライドの移動を、２つの部分、レセプタクルの挿入開口部に向かって配されたスライドの初期位置から離れる方に延びる、第１の部分と、挿入開口部から遠隔にある端部位置まで延びる、第２の部分と、に分けてもよい。第１の部分では、スライドはコンタクトピンと同じ速さで移動し、好ましくはコンタクトピンのみによって移動される。この第１の部分は、特に複数の駆動位置で構成されている。第２の部分では、スライドはコンタクトピンよりもゆっくりと移動し、好ましくはローラコンタクト体のみによって移動される。上述したように、このことは例えば、ローラコンタクト体が、第１の部分ではハウジングまたはコンタクトピンのいずれかにおいてのみ転動し、第２の領域ではコンタクトピンおよびハウジングの両方において転動することによって、実現される。
この手法により、コンタクトピンの挿入中のスライドの移動を少なくすることが可能になり、この結果コンパクトな構造形態が実現されるが、このことにより特にまた、既存のコンタクトおよびコンタクトピンの標準的な寸法を維持することも可能になる。第２の部分は好ましくは、複数の解放位置で構成されている。
【００３５】
更なる有利な設計によれば、ローラコンタクト体は、レセプタクルを取り囲むハウジング内で、回転は可能であるが挿入方向に沿った並進移動はできないように構成される。そのような設計の場合、好ましくは差し込み方向に移動不可能なローラ支承ケージがある。特に、ローラコンタクト体は、レセプタクルまたは接触表面から離れる方に面している側で、ハウジングから離間されて維持される。この場合も、ハウジングは導電性材料から製造されてもよい。
【００３６】
接触力を生み出しローラコンタクト体をコンタクトピンに対して押圧するために、一方側の少なくとも１つのローラコンタクト体とハウジングとの間に位置し、少なくとも１つのローラコンタクト体に対して作用する少なくとも１つの押圧ばねを提供してもよい。
【００３７】
ハウジングを、導体を取り付けるための固定部分に、材料結合で接続してもよい。押圧ばねおよび／またはローラ支承ケージがハウジング内に移動しないように保持される場合、これらは、ハウジングの代わりにまたはハウジングに加えて、固定部分に、材料結合で接続されてもよい。固定部分は、導体を確実に圧着するための圧着部分として、または、導体を確実にはんだ付けするために、およびまたより大きいプラグのハウジング内にコンタクトを取り付けるために、設計されてもよい。
【００３８】
コンタクトピンおよびコンタクトが差し合わされるときローラコンタクト体をコンタクトピンに対して押圧するために、ローラコンタクト体は、ハウジングの隙間と押圧ばねの隙間との間に、差し込み方向に対して横断方向に押圧ばねの作用に抗して偏向可能に保持されてもよい。
【００３９】
別の設計では、ハウジング自体は、ローラ支承ケージまたはローラ支承ケージの一部を形成してもよい。この目的のために、ハウジングは、ローラコンタクト体の少なくとも一部分を収容する、内側にある内側部と、外側にある外側部と、を備えてもよい。内側部および外側部を、少なくとも１つの曲げられたおよび／または折り曲げた接続部分によって、互いに材料結合で、特に一体に、接続してもよい。少なくとも１つの押圧ばねは、内側部と外側部との間に位置し、この結果良好に保護されてもよい。接続部分はレセプタクルの開口部にあってもよく、同時に、レセプタクル用の、コンタクトピンの挿入をさらに容易にする広くなる導入部を形成してもよい。
【００４０】
ローラコンタクト体の組み付けのために、ローラコンタクト体が通されて嵌合する挿入開口部が、外側部の表面におよび／または押圧ばねの表面にあってもよい。ローラコンタクト体を押圧ばねに挿通し、同時にそれらを押圧ばねによって保持できるようにするために、押圧ばねを外側部に対して変位させることによって、押圧ばねの挿入開口部および外側部の挿入開口部を互いに整列させること、および、好ましくはさらに内側部の保持開口部と整列させることができる。差し込み方向に沿って互いに離間されて維持される、押圧ばねとハウジングとの間のいくつかの変位位置において、外側部の異なる複数の挿入開口部を押圧ばねの挿入開口部と整列させることができ、このとき特に、押圧ばねは必然的に外側部よりも少ない挿入開口部を有している。外側部は、ローラ支承ケージの保持開口部または内側部の保持開口部ごとに、挿入開口部を有してもよい。
【００４１】
ローラコンタクト体の組み付け後、押圧ばねをハウジングにラッチングしてもよい。ラッチング位置では、押圧ばねの挿入開口部は、外側部の挿入開口部または内側部の保持開口部と位置合わせされていない。
【００４２】
押圧ばねは好ましくは、ローラコンタクト体との摩擦を可能な限り小さくするために、プラスチックから製造される。
【００４３】
本発明を、添付の図面を参照し、例示的な実施形態に基づいて、以下に例示により説明する。機能および／または構造に関して互いに対応している要素については、添付の図面において常に同じ参照符号を使用する。簡潔にするために、特に断りのない限り、例示的な実施形態間の違いのみを検討する。
【００４４】
上でなされた記述に基づいて、様々な例示的な実施形態の様々な特徴を、任意の所望の方法で互いに組み合わせることができる。特に、ある例示的な実施形態の特徴の技術的効果が、特定の用途の場合に重要ではなければ、この特徴を除外してもよい。逆に、別の例示的な実施形態などの更なる特徴と関連付けられた技術的効果が、特定の用途の場合に重要であれば、この特徴を例示的な実施形態に追加してもよい。
【図面の簡単な説明】
【００４５】
【図１】本発明に係る電気コンタクトの概略斜視図である。
【図２】相補的コンタクトピンを伴う、図１のコンタクトの概略斜視図である。
【図３】図１の視線の方向ＩＩＩに対応する、図１の電気コンタクトの詳細図である。
【図４】図１の視線の方向ＩＶに対応する、挿入されたコンタクトピンを有する図１電気コンタクトを通る断面の概略図である。
【図５】本発明に係る電気コンタクトにコンタクトピンを挿入している間の、第１の位置の概略図である。
【図６】本発明に係る電気コンタクトにコンタクトピンを挿入している間の、第２の位置の概略図である。
【図７】本発明に係る電気コンタクトにコンタクトピンを挿入している間の、第３の位置の概略図である。
【図８】本発明に係る電気コンタクトにコンタクトピンを挿入している間の、第４の位置の概略図である。
【図９】図８の視点ＩＸの概略図である。
【図１０】コンタクトピンが第１の位置にある、本発明に係るコンタクトの更なる例示的な実施形態の概略断面図である。
【図１１】図１０の視点ＸＩの概略図である。
【図１２】さらに先の位置にある、図１０の例示的な実施形態の概略図である。
【図１３】図１２の視点ＸＩＩＩの概略図である。
【図１４】さらに先の位置にある、図１０の例示的な実施形態の概略断面図である。
【図１５】図１４の視点ＸＶの概略図である。
【図１６】本発明に係るコンタクトのスライドの概略斜視図である。
【図１７】本発明に係るコンタクトの更なる例示的な実施形態の概略斜視図である。
【図１８】図１７の線ＸＶＩＩＩ−ＸＶＩＩＩに沿った概略断面図である。
【図１９】図１７の線ＸＩＸ−ＸＩＸに沿った概略断面図である。
【図２０】図１７の例示的な実施形態の組み付けに関する連続的な組み付けステップのうちの１つの概略図である。
【図２１】図１７の例示的な実施形態の組み付けに関する連続的な組み付けステップのうちの１つの概略図である。
【図２２】図１７の例示的な実施形態の組み付けに関する連続的な組み付けステップのうちの１つの概略図である。
【図２３】図１７の例示的な実施形態の組み付けに関する連続的な組み付けステップのうちの１つの概略図である。
【図２４】図１７の例示的な実施形態の組み付けに関する連続的な組み付けステップのうちの１つの概略図である。
【図２５】図１７の例示的な実施形態の組み付けに関する連続的な組み付けステップのうちの１つの概略図である。
【図２６】図１７の例示的な実施形態の組み付けに関する連続的な組み付けステップのうちの１つの概略図である。
【図２７】図１７の例示的な実施形態の組み付けに関する連続的な組み付けステップのうちの１つの概略図である。
【発明を実施するための形態】
【００４６】
まず、本発明に係る電気コンタクト１の例示的な実施形態の構造および機能について説明する。電気コンタクト１は、レセプタクル４を囲い込むハウジング２を備える。レセプタクル４は、少なくとも差し込み方向６に反対向きに開口している。差し込み方向６において、例えばコンタクトピンの形態の相補的コンタクト８が、レセプタクル４に挿入される。相補的コンタクト８は、コンタクトピンとして、特に図２に示すように、タブとして設計されてもよいが、ピンとして設計されてもよい（図示せず）。
【００４７】
電気コンタクト１および相補的コンタクト８が１つになって、電気プラグ接続部１０が形成される。
【００４８】
図２では、ハウジング２の中まではっきりと見えるように、ハウジング２の上側半分が省略されている。わかるように、差し込み方向６において、ハウジング２は、その差し込み方向の前端部１２ａおよびその差し込み方向の後端部１２ｂが開口していてもよい。レセプタクル４内にはスライド１４がある。スライド１４はスリーブ形状または箱形状で設計されており、ハウジング２と同軸に置かれている。ハウジング２は同様にレセプタクル４を取り囲む。スライド１４は、ハウジング２内に、差し込み方向６に沿って前後に変位可能に収容されており、少なくとも差し込み方向６におけるその後端部１５ｂが開口して、コンタクトピンを挿通できるようになっており、好ましくは前端部１５ａも開口している。
【００４９】
図１および図２では、スライド１４は、初期位置１６において、ハウジング２の後端部１２ｂにある挿入開口部１８に位置する。スライドの後端部１５ｂは、挿入開口部１８に接している。
【００５０】
スライド１４上では、レセプタクル４の対向する面１９ａ、１９ｂ上に、ローラコンタクト体２０が回転可能に保持されている。この目的のために、ローラコンタクト体２０は、スライド１４の隙間または凹部２２に嵌め合いで挿入されている。スライド１４はこの結果、ローラ支承ケージ２１を形成する。ローラコンタクト体２０は、レセプタクル４内に突出している。
【００５１】
単なる例示として、面１９ａ、１９ｂは、レセプタクル４の平坦な面である。ローラコンタクト体はまた、レセプタクル４の狭い面上に配置されてもよい。
【００５２】
ローラコンタクト体２０は導電性材料、特に、少なくとも３０Ｓ／ｍの導電率を有する材料から製造される。ローラコンタクト体２０の材料は好ましくは、金、銀、アルミニウム、および銅の群からの少なくとも１種の金属を含有する。
【００５３】
スライド１４は好ましくは非導電性材料、例えばプラスチックから製造され、特に射出成形される。
【００５４】
レセプタクル４の挿入開口部１８において、電気コンタクト１は導入領域２４を備え、これは差し込み方向６に対向して広くなる。導入領域２４は例えば、ハウジングのスリーブ形状または箱形状の領域２８から差し込み方向と反対の方向に突出しておりかつ差し込み方向６に対して傾斜している、２つのベーン２６によって形成されてもよい。
【００５５】
スライド１４は、スライド１４のスリーブ形状または箱形状の部分３２から差し込み方向６と反対におよび／または差し込み方向６に突出している、ばね舌片またはばねアーム３０を備えてもよい。ばね舌片またはばねアーム３０の各々上の、挿入開口部１８に面している端部３４にまたはその近傍に、少なくとも１つのローラコンタクト体２０を備えてもよい。
【００５６】
ばね舌片またはばねアーム３０は、力の加わっていない状態では互いに離れるように移動する傾向を有するように、予め成型されている。この結果、スライドがハウジング２の後端部１２ｂに向かって差し込み方向６と反対に変位されるとき、ばね舌片またはばねアーム３０の形態は、広くなる導入領域２４に追従する。
【００５７】
図２に示すように、コンタクトピン８は、狭い面３８上に位置する少なくとも１つのラッチング要素３６、例えばラッチング突起またはラッチング凹部を備えてもよい。
【００５８】
スライド１４が図２に示す開口部１８にある初期位置１６からハウジングの前端部１２ａに向かって差し込み方向６に変位される場合、ローラコンタクト体２０は導入領域２４に沿って互いに向かって移動する。ローラコンタクト体２０がハウジング２のスリーブ形状または箱形状の領域２８内に達するとすぐに、これらの間の距離は、スライドが差し込み方向６にさらに移動する間、実質的に一定のままとなる。領域２８内では、ローラコンタクト体２０は、そのとき生じているばね舌片またはばねアーム３０の弾性変形の結果、ハウジング２に対して押し付けられており、この結果、これらは、ハウジング２の内面または内側表面上で転動する。ローラコンタクト体２０がハウジング２に対して押し付けられる押圧力は、この結果、対向するローラコンタクト体２０の間の距離が次第に小さくなるにつれ大きくなる。
【００５９】
スライド１４は好ましくは、２つの停止部４６、４８によって決定される２つの端部位置４２、４４の間で、差し込み方向に沿って変位可能である。停止部４６、４８は、ハウジング上に配置されて、スライド上の案内要素５０とともに機能してもよい。案内要素５０は例えば、ハウジング２の溝またはスリット５２内に突出している、リブ５０であってもよい。溝５２は、差し込み方向６に直線的に延在し、停止部４６および４８はこれらの溝の端部である。この配置構成を逆にして、溝またはスリット５２をスライド上に位置付け、案内要素をハウジング上に位置付けることもできることは、言うまでもない。
【００６０】
ハウジング２はまた、差し込み方向６に沿って延在しかつ表面上でローラコンタクト体２０が転動する、溝形状の軌道５４も備える。走行溝５４は特に図３に見ることができ、図３ではハウジング２の一部が取り外されている。走行溝５４を、差し込み方向６に対して横断方向に僅かに屈曲する、ハウジング舌片５６上に形成してもよい。ハウジング舌片５６は、差し込み方向に位置するその２つの端部において、または一方の端部のみにおいて、ハウジング２に接続されてもよい。ハウジング舌片５６の降伏弾性コンプライアンス（イールディング  コンプライアンス）の結果として、ハウジング舌片５６は、ハウジング舌片５６が偏向するとすぐにローラコンタクト体２０をレセプタクル４内に押し込む、押圧ばね５８として機能する。
コンタクトピン８がレセプタクル４に挿入され、スライド１４が差し込み方向６に移動して、後端部１２ｂの方向に位置する停止位置４６から差し込み方向６に出ると、ローラコンタクト体２０はコンタクトピン８に接するようになる。十分に大きい接触力６０を生み出すために、ローラコンタクト体２０は走行溝５４に対して押し付けられ、このとき走行溝は弾性的に屈曲する。このことは図４に示されている。
【００６１】
レセプタクル４内へ突出しているローラコンタクト体２０の外側表面は、電気コンタクト１の接触表面６１を形成し、これは差し合わされた状態において、相補的コンタクト８の接触表面６２と接触する（図２も参照）。ローラコンタクト体２０の表面が湾曲している結果、接触力６０は小さい表面積に対して作用し、結果的に大きい表面圧力を及ぼす。
【００６２】
差し込み動作について、図５から図９を参照して以下でより詳細に説明する。これらには、図９が特に示しているように、走行溝５４がスリット形状である変形形態が示されている。この設計の場合、降伏弾性コンプライアンスを利用して、走行溝５４の縁部の降伏弾性コンプライアンスによって押圧力６０を生み出す。
【００６３】
図５から図８には、中にハウジング２が収容されている、外側ハウジング６３も示されている。
【００６４】
図５では、スライド１４は図１および図２に示すような初期位置１６、すなわち後端位置４２にある。ローラコンタクト体２０は導入領域２４内にあり、互いの距離は、この距離の方向におけるコンタクトピンの材料の厚さよりも大きく離間されている。初期位置では、ローラコンタクト体２０はコンタクトピン８に触れていない。
【００６５】
図５では、コンタクトピン８はちょうどスライド１４に完全に挿入されたところであり、このときコンタクトピン８は、差し込み方向６に位置するその端部６４において、スライド１４の少なくとも１つのドライバ６６に当接している。単なる例示として、図５は、対向する面１９ａ、１９ｂ上にある２つのドライバ６６を示している。ドライバ６６はレセプタクル４内へ突出しており、好ましくはスライド１４の前端部１５ａに位置する。スライド１４は、差し込み方向に対して横断方向においてコンタクトピン８を少なくとも２つの対向する面上で厳密に嵌合するように受け入れて中央に配置する、支承サポート６８を備えてもよい。
【００６６】
コンタクトピン８は、その後差し込み方向６にさらに押されると、ドライバ６６を介してスライド１４を、初期位置１６から同様に差し込み方向６に移動させる。ローラコンタクト体２０はこの結果、ハウジング２、特に走行溝５４上で転動することができる。ばね舌片またはばねアーム３０上のローラコンタクト体２０はこれにより、コンタクトピン８に接することなく、導入領域２４に沿って互いに向かって進む。以降駆動位置と呼ぶ、スライドのそのような位置６９が、図６に示されている。駆動位置６９では、スライド１４は差し込み方向６における初期位置の外に出ており、ローラコンタクト体２０は、挿入の方向である差し込み方向６においてハウジング２の領域２８への移行部に位置する、導入領域２４の端部に位置する。スライド１４およびコンタクトピン８は同じ速さで移動する。
【００６７】
図７には、以降解放位置と呼ぶ、スライド１４の位置７０が示されているが、これは、スライド１４の端部位置４２と端部位置４４との間あり、特に差し込み方向６において駆動位置６９よりも先に、すなわちハウジングの前端部１２ａのより近くにある。ローラコンタクト体２０は、接触力６０の効果の下でコンタクトピン８の接触表面６２上にある。同時に、ローラコンタクト体２０は走行溝５４に押し込まれており、走行溝５４は差し込み方向６に対して横断方向へ弾性的に偏向されており、押圧力６０を生み出す。それゆえ、ローラコンタクト体２０はハウジング２上でおよびコンタクトピン８上で転動する。スライド１４はその場合、直接コンタクトピン８によってそれ以上差し込み方向６に移動されることはないが、転動するローラコンタクト体２０の動きによって移動される。スライド１４のこの移動の速さは、コンタクトピン８がレセプタクル４に挿入される速さよりも低い。
コンタクトピン８はこの結果、スライド１４を追い抜く。ドライバ６６はレセプタクル４の外に移動しており、このためコンタクトピン８はドライバ６６を越えて移動することができる。ドライバ６６がレセプタクル４の外に出ることは、例えば、スライド１４の解放位置７０に達したときにドライバ６６が中に入る、溝形状またはスリット形状の凹部７１によって可能になる。この目的のために、ドライバ６６をばね舌片７２上に配置してもよい。
【００６８】
ドライバ６６がレセプタクル４の外に出ている位置はこの場合、ローラコンタクト体２０がコンタクトピン８上およびハウジング２上の両方で転動するときの起点となる位置に対応している。このようにして、スライド１４が、解放位置７０へおよびさらに端部位置４４へ、連続的に移動することが保証される。
【００６９】
図７に示す位置から開始して、コンタクトピン８は次に、差し込み方向６にさらに移動することができる。コンタクトピン８はこの結果、ローラコンタクト体２０および支承サポート６８によって中央に配置され保持される。
【００７０】
図１０から図１５には、電気コンタクト１とコンタクトピン８の差し合わせの様々な段階が、図５から図９と比較して僅かに変更されている設計で示されている。簡潔にするために、先の実施形態との違いのみを検討する。
【００７１】
図１０から図１５の実施形態の場合、ドライバ６６はラッチング機構７４の一部であり、ラッチング機構７４は、コンタクトピン上に特にラッチング要素３６も備える（図２も参照）。ドライバ６６がコンタクトピン８の狭い面３８に対向して配置されているのは、単なる例示である。ドライバ６６は、コンタクトピン８の平坦な面７６に同様に対向して、すなわち面１９ａおよび面１９ｂの一方上に、配置されてもよい。ラッチング機構７４を、図５から図９に示されている設計に追加して、特に使用してもよい。
【００７２】
ラッチング機構７４はスライドの初期位置１６において係合し、ラッチング機構７４によって確立される差し込み方向６での形状嵌めの結果、スライド１４はコンタクトピン８によって差し込み方向６に移動される。初期位置１６は図１０および図１１に示されている。
【００７３】
ここでは突起として設計されている、ドライバ６６およびラッチング要素３６は、互いに接しており、この結果、コンタクトピン８の動きがスライド１４に伝えられる。ローラコンタクト体２０はコンタクトピン８から離間されて維持される。２つの突起が図１１に示すように互いに接している代わりに、スライドまたはコンタクトピン上に、他方の要素の対応する凹部内に係合するただ１つの突起がそれぞれあってもよいことは、言うまでもない。
【００７４】
差し込み方向６への移動の過程で、ローラコンタクト体２０は、コンタクトピン８およびハウジング２に接するようになる。このことは、差し込み方向６に位置する導入領域２４の端部にローラコンタクト体２０が達しているときに常に生じる。この位置において、コンタクトピン８はスライド１４に追い抜き始めるが、その理由は、スライド１４の速さがその場合に、ローラコンタクト体２０の差し込み方向６への並進速さによって決まるからである。この並進速さは、スライド１４の差し込み方向における速さよりも遅い。
【００７５】
図１４および図１５に示すように、コンタクトピン８の速さの方が速い結果、ラッチング機構７４は、好ましくはスライド１４の端部位置４４よりも先でまたは端部位置４４において、それ自体でラッチングされる。
【００７６】
ラッチング機構７４により、レセプタクル４内にコンタクトピン８が固止される。ラッチング機構７４によって可能になる、差し込み方向６におけるコンタクトピンとスライドとの間の遊びは、特に振動負荷を受ける環境において、プラグ１とコンタクトピン８との間の相対移動の均衡を保つ目的で使用され得る。
【００７７】
図１では、スライド１４は、差し込み方向６に対して横断方向に延在する、ローラコンタクト体２０の単一の列を備えている。ローラコンタクト体２０の２つ以上の列、および／または、互いにずらして配置されているローラコンタクト体も使用できることは、言うまでもない。図１６は、例えば図１のスライド１４の代わりに使用できる、変更したスライドを示す。この設計の場合、ローラコンタクト体２０が端部に保持されるばね舌片またはばねアーム３０は、長さが異なっている。ローラコンタクト体２０はこの結果、コンタクトピン８上に互いに差し込み方向６に離間されてあるが、このことは、コンタクトピン８に作用する傾斜モーメントをより良好に支持することにつながる。
【００７８】
電気コンタクト１が移動可能なスライド１４を備えるのは必須ではないが、このことを、以下の例示的な実施形態に基づいて、特にまず図１７から図１９に基づいて説明する。
【００７９】
図１７から図１９の電気コンタクト１は同様に、回転式に装着されているローラコンタクト体２０を有し、これらはレセプタクル４に関して互いに対向して、面１９ａ、１９ｂ上にある。
【００８０】
ハウジング２はローラ支承ケージ２１を取り囲んでおり、これは１つの部品として、または示されているように２つの部品として、形成されてもよい。ローラ支承ケージ２１の内側部７８はレセプタクル４に面している。ローラ支承ケージ２１の外側部８０は、ハウジング２と内側部７８との間に配置されている。ローラコンタクト体２０は、内側部７８と外側部８０との間に配置されている。外側部８０は、押圧ばね５８としての役割を果たす。先の例示的な実施形態の走行溝５４と同じように、押圧ばね５８は、差し込み方向６に対して横断方向に弾性的に偏向可能であり、このことにより、ローラコンタクト体２０が挿入されたコンタクトピン８によってレセプタクル４から押圧ばね５８の作用に抗して押されるときに、接触力６０が生み出されるようになっている。
【００８１】
内側部７８を、曲げられたおよび／または折り曲げた接続部分８２により、ハウジング２に材料結合で、特に一体に、接続してもよい。接続部分８２は、差し込み方向６に反対向きに広くなる、傾斜した導入領域２４を形成してもよい。
【００８２】
電気コンタクト１の固定部分８４は、導体８５を固定するまたは差し込みコンタクト内に電気コンタクトを固定する役割を果たし得る。特に、電気コンタクト１は圧着コンタクト８６として設計されてもよく、その場合固定部分８４は、導体を圧着するための圧着部分を形成している。固定部分８４はハウジング２とともに、および／または示されているように外側部８０とともに、材料結合で、特に一体に、形成されてもよい。
【００８３】
ローラコンタクト体２０は、内側部７８と外側部８０との間で、嵌め合いにより回転可能であるように保持されている。最大の断面８８はこの場合、内側部７８と外側部８０との間にある。ローラコンタクト体２０は、内側部７８および外側部８０にある、差し込み方向６に対して横断方向に互いに位置合わせされている凹部内に置かれている。
【００８４】
ハウジング２は、外側ハウジング６３（図示せず）内に収容されてもよい。
【００８５】
差し込み方向６へのコンタクトピン８の挿入中に、ローラコンタクト体２０はその接触表面６２上で転動し、この結果、差し込みに必要な差し込み力が軽減される。ローラコンタクト体２０はこの場合、ローラ支承ケージ２１によって保持されて移動しないままであり、隙間９０内で回転するだけである。
【００８６】
図１７から図１９の電気コンタクト１の組み立てについて、図２０から図２７を参照して以下に説明する。
【００８７】
第１のステップでは、図２０によれば、ハウジング２は、内側部７８上で差し込み方向６に押される。ハウジング２は挿入開口部９０を有し、その数および位置は、内側部７８のレセプタクルとしての挿入開口部９０の数および位置に対応している。内側部７８の表面にはいくつかの挿入開口部９０があるが、これらはレセプタクル９０の数またはローラコンタクト体２０の数よりも少ない。それにも関わらず全てのローラコンタクト体２０を押圧ばね５８と内側部７８との間に配置できるようにするために、組み付け目的で、押圧ばね５８は、ハウジング２内でスライド１４のように差し込み方向６に沿って変位可能である。様々な変位位置で、ハウジング２の異なる複数の挿入開口部９０が押圧ばね５８の挿入開口部９０と位置合わせされ、このことにより、ローラコンタクト体２０を、ハウジング２および押圧ばね５８を通して、内側部７８の凹部２２に挿入できるようになっている。
次いで、この時点でハウジング２の挿入開口部９０および押圧ばね５８の挿入開口部９０と位置合わせされている他のレセプタクル２２に、ローラコンタクト体２０を挿入するために、押圧ばね５８は差し込み方向６に沿って再び変位される。既に組み付けられたローラコンタクト体２０はこれにより、押圧ばね５８の挿入開口部９０に接合している溝５４内で長手方向に転動する。このことを以下でさらに詳細に説明する。
【００８８】
図２１では、ハウジング２は差し込み方向６に押されて押圧ばね５８を覆っており、この結果、２つの挿入開口部９０が互いに位置合わせされている。図２２に示すように、ローラコンタクト体２０は次いで、２つの位置合わせされた挿入開口部９０に挿入され、これらは図２３が示すように、挿入開口部９０と位置合わせされている凹部２２内に収容されることになる。
【００８９】
まだ空のレセプタクル２２にローラコンタクト体２０を装填するために、押圧ばね５８およびハウジング２は、内側部７８のまだ空の凹部２２が押圧ばね５８の挿入開口部９０およびハウジング２の挿入開口部９０と位置合わせされるまで、差し込み方向６に沿って互いに対して再び移動される。ハウジング２内での押圧ばね５８の変位の結果、既に挿入されているローラコンタクト体２０は、走行溝５４上に支持されているので、その後押圧ばね５８と内側部７８との間に保持される。走行溝５４はこの目的のために、ローラコンタクト体２０の直径よりも小さいクリア幅（ｃｌｅａｒ  ｗｉｄｔｈ）を有する。
【００９０】
新しい変位位置において挿入開口部９０がまだ空の凹部２２と位置合わせされているとき、前の変位位置に関する前のステップで既に行われたように、ローラコンタクト体２０は再び挿入開口部９０に挿入される。このようにして、全ての凹部２２にローラコンタクト体２０を次々と装填することができる。その後、ラッチング機構７４によって、ハウジング２の挿入開口部９０が押圧ばね５８の挿入開口部９０ともはや位置合わせされておらず、かつ全てのローラコンタクト体２０が押圧ばね５８の走行溝５４内にある、ハウジング２内の変位位置で、押圧ばね５８を停止させることができる。
【符号の説明】
【００９１】
１  電気コンタクト
２  ハウジング
４  レセプタクル
６  差し込み方向
８  コンタクトピン
１０  電気プラグ接続部
１２ａ  ハウジングの前端部
１２ｂ  ハウジングの後端部
１４  スライド
１５ａ  スライドの前端部
１５ｂ  スライドの後端部
１６  初期位置
１８  挿入開口部
１９ａ、１９ｂ  レセプタクルの対向する面
２０  ローラコンタクト体
２１  ローラ支承ケージ
２２  ローラコンタクト体用凹部
２４  導入領域
２６  ベーン
２８  ハウジングのスリーブ形状または箱形状の領域
３０  ばね舌片またはばねアーム
３２  スライドのスリーブ形状または箱形状の部分
３４  差し込み方向に反対向きのばね舌片またはばねアームの端部
３６  ラッチング要素
３８  狭い面
４０  ハウジングの内面または内側表面
４２  スライドの後端位置
４４  スライドの前端位置
４６  後方停止部
４８  前方停止部
５０  案内要素
５２  溝またはスリット
５４  走行溝
５６  ハウジング舌片
５８  押圧ばね
６０  接触力
６１  コンタクトの接触表面
６２  相補的コンタクトの接触表面
６３  外側ハウジング
６４  端部
６６  ドライバ
６８  支承サポート
６９  駆動位置
７０  解放位置
７１  凹部
７２  ばね舌片
７４  ラッチング機構
７６  平坦面
７８  内側部
８０  外側部
８２  接続部分
８４  固定部分
８５  導体
８６  圧着コンタクト
８８  ローラコンタクト体の最大直径
９０  挿入開口部
【図１】
2019530152.tif 000003
2019530152.tif 000004
【図２】
2019530152.tif 000005
【図３】
2019530152.tif 000006
【図４】
2019530152.tif 000007
【図５】
2019530152.tif 000008
【図６】
2019530152.tif 000009
【図７】
2019530152.tif 000010
【図８】
2019530152.tif 000011
【図９】
2019530152.tif 000012
【図１０】
2019530152.tif 000013
【図１１】
2019530152.tif 000014
【図１２】
2019530152.tif 000015
【図１３】
2019530152.tif 000016
【図１４】
2019530152.tif 000017
【図１５】
2019530152.tif 000018
【図１６】
2019530152.tif 000019
【図１７】
2019530152.tif 000020
【図１８】
2019530152.tif 000021
【図１９】
2019530152.tif 000022
【図２０】
2019530152.tif 000023
【図２１】
2019530152.tif 000024
【図２２】
2019530152.tif 000025
【図２３】
2019530152.tif 000026
【図２４】
2019530152.tif 000027
【図２５】
2019530152.tif 000028
【図２６】
2019530152.tif 000029
【図２７】
2019530152.tif 000030
【国際調査報告】
2019530152.tif 000031
2019530152.tif 000032
2019530152.tif 000033